(57)【要約】保護されたデジタルコンテンツへのアクセスを管理するシステムであり、該デジタルコンテンツは少なくとも一つのコンテンツの配信サーバ（１１）に保存され、移動体用のセルラーネットワーク（２０）に接続された携帯端末（１０）に送信される。本発明によると、前記利用権の少なくとも一つのコピーが少なくとも一つの利用権の管理サーバ（１２）に保存されているため、前記管理システムは、前記携帯端末（１０）から利用権の前記管理サーバ（１２）への接続要求なしで、デジタルコンテンツの前記利用権の少なくとも一つの更新メッセージを前記携帯端末（１０）に送信することに適している。保護されたデジタルコンテンツの利用期間の管理へ応用することができる。
2005536785.tif 000002
【特許請求の範囲】
【請求項１】
少なくとも一つのコンテンツの配信サーバ（１１）に保存され、移動体用のセルラーネットワーク（２０）に接続された移動体端末（１０）に送信される、保護されたデジタルコンテンツへのアクセスを管理するシステムであって、利用権の少なくとも一つのコピーが少なくとも一つの利用権の管理サーバ（１２）に保存されているため、前記管理システムが、前記移動体端末（１０）から利用権の前記管理サーバ（１２）への接続要求なしで、デジタルコンテンツの前記利用権の少なくとも一つの更新メッセージを前記移動体端末（１０）に送信するのに適していることを特徴とする、保護されたデジタルコンテンツへのアクセスを管理するシステム。
【請求項２】
前記利用権の前記更新メッセージが、前記移動体端末（１０）の利用者の介入なしで送信される要求メッセージであることを特徴とする、請求項１に記載の、保護されたコンテンツへのアクセスを管理するシステム。
【請求項３】
前記利用権の前記更新メッセージが、デジタルコンテンツの前記利用権の消滅を指示することを特徴とする、請求項１または２に記載の、保護されたデジタルコンテンツへのアクセスを管理するシステム。
【請求項４】
前記利用権の前記更新メッセージが、移動体用の前記セルラーネットワーク（２０）の、少なくとも一つの電子メッセージ管理センター（２１）によって前記移動体端末（１０）に送信されることを特徴とする、請求項１から３のいずれか一つに記載の、保護されたコンテンツへのアクセスを管理するシステム。
【請求項５】
請求項１から４のいずれか一つに記載の、保護されたデジタルコンテンツへのアクセスを管理するシステムに関連づけられた利用権の管理サーバ（１２）であって、該サーバが、少なくとも一つの移動体端末（１０）に向けられた少なくとも一つの送信手段と、移動体用の前記セルラーネットワーク（２０）の少なくとも一つの電子メッセージ管理センター（２１）に向けられた送信手段と、デジタルコンテンツの少なくとも一つの利用権を保存する手段、および、前記移動体端末（１０）の接続要求なしで、デジタルコンテンツの前記利用権の少なくとも一つの更新メッセージを送信する手段を含むことを特徴とする、利用権の管理サーバ。
【請求項６】
利用権の前記管理サーバ（１２）の前記保存手段が、少なくとも一つのデータベース（１３）であることを特徴とする、請求項５に記載の、保護されたデジタルコンテンツへのアクセスを管理するシステムに関連づけられた利用権の管理サーバ（１２）。
【請求項７】
少なくとも一つのコンテンツの配信サーバ（１１）に保存され、移動体用のセルラーネットワーク（２０）に接続された移動体端末（１０）に送信される、保護されたデジタルコンテンツへのアクセスを管理する方法であって、前記方法が、
−コンテンツの前記配信サーバ（１１）の前記デジタルコンテンツを前記移動体端末（１０）に送信すること、
−送信された前記デジタルコンテンツに関連づけられた少なくとも一つの利用権を、少なくとも一つの利用権の管理サーバ（１２）から前記移動体端末（１０）に送信すること、
−送信された前記利用権の少なくとも一つのコピーを、少なくとも一つのデータベース（１３）に保存すること、
−送信されたデジタルコンテンツに関連づけられた前記利用権の少なくとも有効期間を記憶すること、
−利用権の前記管理サーバ（１２）から前記移動体端末（１０）へ、前記移動体端末（１０）の接続要求なしで、デジタルコンテンツの前記利用権の少なくとも一つの更新メッセージを送信すること、
からなる過程を有することを特徴とする、保護されたデジタルコンテンツへのアクセスを管理する方法。
【発明の詳細な説明】
【技術分野】
【０００１】
本発明は、携帯端末に送信される、保護されたデジタルコンテンツへのアクセスを管理するシステムと方法に関するものである。
【０００２】
本発明は、より特徴的には、保護されたデジタルコンテンツの利用期間の管理に応用される。
【０００３】
前記デジタルコンテンツは、デジタル音楽ファイル、電子ブック、デジタルビデオファイル、コンピュータのプログラムあるいはアプリケーションソフトなど、さまざまな種類でありうる。
【背景技術】
【０００４】
デジタルコンテンツは、たとえばデジタルデータの暗号化の方法によって、デジタルコンテンツへのアクセスを制御し、該コンテンツの不正な読み取りを防ぐように、保護することができる。
【０００５】
現状では、デジタルコンテンツがコンテンツの配信サーバによって受信端末に送信される際、前記デジタルコンテンツの利用権は、利用権の管理サーバによって前記受信端末に送信されるか、もしくは、前記デジタルコンテンツの各利用時に送信される。
【０００６】
デジタルコンテンツの利用権により、たとえば許可された読み取り回数を指示すること、あるいは前記デジタルコンテンツの利用期間を規定することで、前記デジタルコンテンツへのアクセスの可能性を制御することが可能になる。
【発明の開示】
【発明が解決しようとする課題】
【０００７】
一般的に、デジタルコンテンツの受信端末は、前記端末にリアルタイムクロックを装備している。デジタルコンテンツの利用期間の管理が受信端末に基づいて行われるとき、利用者は前記リアルタイムクロックに介入することができる。該利用者は、不正な利用権を得るように、該リアルタイムクロックの指示を変更しようとするかもしれない。
【０００８】
他方において、受信端末による期間の管理を伴うシステムは、「中間者攻撃」（ｍａｎ  ｉｎ  ｔｈｅ  ｍｉｄｄｌｅ）型の攻撃を避けることができず、該中間者攻撃において、不法な使用者は自分を利用権の前記管理サーバとして通用させ、保護されたコンテンツへの不正アクセスを許可する改ざんされたクロックを送信する。
【０００９】
現状では、コンテンツの利用期間の制御が利用権の管理サーバによって行われている場合、受信端末の接続は該管理サーバと確立されなければならず、このことが利用ごとのコンテンツへのアクセスを遅延させている。
【００１０】
前記デジタルコンテンツの各利用時における、権利の管理サーバへの接続は、デジタルコンテンツの利用の前に利用者に接続の待ち時間を強いる。一般的に、この接続は請求の対象となるものであり、該接続は利用者にとってデジタルコンテンツの利用料金を高くしている。
【００１１】
最後に、これらの繰り返される接続は、移動体用のセルラーネットワークにおいて、利用権の管理サーバに向けられたデータ量を増加させることになり、前記管理サーバへアクセスするための混雑という危険を伴う。
【００１２】
電子商取引に関するトランザクションの拡大によって、サービスプロバイダによる請求時に利用者の異議を避けるように、利用権の規則的で正確な制御が必要となっている。
【００１３】
今日では、受信端末のリアルタイムクロックに基づくよりもさらに信頼できる仕方で、保護されたデジタルコンテンツへアクセスする期間の管理を行う必要性が感じられている。
【課題を解決するための手段】
【００１４】
また、本発明の対象によって解決すべき技術的な問題は、少なくとも一つのコンテンツの配信サーバに保存され、移動体用のセルラーネットワークに接続された携帯端末に送信される、保護されたデジタルコンテンツへのアクセスを管理するシステムと方法を提案することであり、該システムと方法は、前記デジタルコンテンツの利用時に、前記デジタルコンテンツの利用期間を管理するために利用者が権利の管理サーバに接続することを避けることによって、既存のシステムの不具合を改善することを可能にする。
【００１５】
技術的な課題の解決法は、本発明によると、利用権が少なくとも一つの利用権の管理サーバによって前記携帯端末へ送信されるので、前記管理システムが、前記利用権の少なくとも一つのコピーを前記利用権の管理サーバに保存することに適し、さらに、前記携帯端末にデジタルコンテンツの前記利用権の少なくとも一つの更新メッセージを送信することに適していることから構成される。
【００１６】
同様に、本発明にしたがった、少なくとも一つのコンテンツの配信サーバに保存され、移動体用のセルラーネットワークに接続された携帯端末に送信される、保護されたデジタルコンテンツへのアクセスを管理する方法は、以下のことからなる過程を有する点で注目に値するものである。すなわち、前記コンテンツの配信サーバの前記デジタルコンテンツを前記携帯端末へ送信すること、送信された前記デジタルコンテンツに関連づけられた少なくとも一つの利用権を、少なくとも一つの利用権の管理サーバから前記携帯端末に送信すること、送信された前記利用権の少なくとも一つのコピーを、少なくとも一つのデータベースに保存すること、送信されたデジタルコンテンツに関連づけられた前記利用権の、少なくとも有効期間を記憶すること、利用権の前記管理サーバから前記携帯端末へ、デジタルコンテンツの前記利用権の少なくとも一つの更新メッセージを送信することである。
【発明の効果】
【００１７】
したがって、本発明にしたがった、携帯端末からの保護されたデジタルコンテンツへのアクセスを管理するシステムと方法によって、利用権の前記管理サーバにおいて、唯一の箇所に中央化された、前記デジタルコンテンツの利用期間の管理が可能になる。
【００１８】
本発明によると、前記利用権の前記更新メッセージは、前記携帯端末の接続要求なしで、利用権の前記管理サーバへ送信される。
【００１９】
本発明にしたがうと、前記利用権の前記更新メッセージは、移動体用の前記セルラーネットワークの電子メッセージ管理センターによって、前記携帯端末に送信される。
【００２０】
本発明にしたがうと、前記利用権の前記更新メッセージは要求メッセージであり、該メッセージは前記携帯端末の利用者による介入なしで送信される。
【００２１】
前記電子メッセージ管理センターは前記携帯端末への接続を確立し、前記利用権の前記更新メッセージを送信する。
【００２２】
前記利用権の前記更新メッセージは要求メッセージであり、該要求メッセージは利用者に対して透過的であり、該利用者に対していかなる請求も発生させない。該利用者は、遂行すべきいかなる動作もなく、また前記メッセージの実行に介入することはできない。
【発明を実施するための最良の形態】
【００２３】
非制限的な例として提示された、添付図面を参照しつつ行われる説明により、本発明が何によって構成され、どのように実現されうるのかということがよく理解され、そして本発明のその他の特徴も明らかにされることになる。
【００２４】
図１は、本発明にしたがった、保護されたデジタルコンテンツへのアクセスを管理するシステムの、一般的な設計の概略図である。
【００２５】
説明を簡潔にするため、移動体電気通信ネットワークの加入者は携帯端末１０として指示されるが、該加入者は、たとえばサーバあるいは携帯通信端末、ＰＣタイプのパーソナルコンピュータあるいはテレビの中継機などさまざまな種類でありえ、図１ではＵＥ（Ｕｓｅｒ  Ｅｑｕｉｐｍｅｎｔ）と称される加入者の装置１０によって指示される。
【００２６】
用いられる端末１０がどのようなものであれ、該端末は公的な移動体ネットワークに接続されており、利用者は該ネットワークの加入者である。
【００２７】
本発明は、携帯端末に要求メッセージを送信する同一の技術を用いる、あらゆる通信ネットワークに応用される。
【００２８】
携帯端末１０は、携帯端末への要求メッセージの送信を可能にする、移動体用のあらゆるタイプの通信セルラーネットワークに接続されており、該ネットワークはたとえば、ＧＳＭタイプ（Ｇｌｏｂａｌ  Ｓｙｓｔｅｍ  ｆｏｒ  Ｍｏｂｉｌｅ  ｃｏｍｍｕｎｉｃａｔｉｏｎｓ、すなわち移動体による通信のための世界的な方式）の移動体ネットワーク、または、ＧＰＲＳタイプ（Ｇｅｎｅｒａｌ  Ｐａｃｋｅｔ  Ｒａｄｉｏ  Ｓｅｒｖｉｃｅ、すなわちパケット伝送による無線通信の一般的なサービス）、あるいはＵＭＴＳタイプ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、すなわち移動体による電気通信の標準的方式）である。
【００２９】
説明を簡潔にするために、セルラーネットワークの装置は、ＧＳＭタイプのネットワークに関する呼称で記載している。
【００３０】
携帯端末１０を所有する利用者は、期間Ｔとするところの規定された期間のあいだ、保護されたデジタルコンテンツ、並びに、前記デジタルコンテンツの利用権にアクセスする。
【００３１】
前記デジタルコンテンツは、あらゆる公衆または私設通信ネットワーク上で、たとえばインターネットネットワークで、アクセスが可能である。
【００３２】
前記デジタルコンテンツは、デジタル音楽ファイル、電子ブック、デジタルビデオファイル、コンピュータのプログラムあるいはアプリケーションソフトなど、さまざまな種類でありうる。
【００３３】
コンテンツの配信サーバ１１は、保護されたデジタルコンテンツを要求者の端末１０に送信する。
【００３４】
デジタルコンテンツはあらゆる種類の暗号化の方法で保護することができ、コンテンツの供給サービスの加入者である、要求者の携帯端末１０に設定されたアプリケーションと互換性がある。
【００３５】
利用権の管理サーバ１２は、送信されたデジタルコンテンツに関連づけられた権利を端末１０に送信する。これらの権利は特に、規定された利用期間である。
【００３６】
装置に応じて、コンテンツの配信サーバ１１および利用権の管理サーバ１２は、同一のサーバに設置することも、しないこともできる。
【００３７】
利用権の管理サーバ１２は、たとえばデータベース１３に、携帯端末１０に送信された権利のコピー、並びに、前記利用権が発生した正確な時刻（日付、時間、秒など）を保存し、該時刻に基づいてデジタルコンテンツが端末１０によって利用可能になる。
【００３８】
特に、管理サーバ１２は有効期間Ｔを記憶し、該期間のあいだ、デジタルコンテンツは端末１０で閲覧が可能である。
【００３９】
データベース１３は、利用権の管理サーバ１２に、物理的に含むことも、含まないこともできる。
【００４０】
したがって利用者は、たとえば、デジタルコンテンツの許可された読み取り回数のようなその他の利用権に応じて、期間Ｔのあいだはデジタルコンテンツを自由に利用することができる。
【００４１】
期間Ｔの終わりに、利用権の管理サーバ１２は、少なくとも一つの利用権の更新メッセージを送信し、所定の期間の満了を指示する。
【００４２】
必要であれば、メッセージはまた、たとえば利用期間が満了に近いことを利用者に指示するために、事前に送信することもできる。
【００４３】
利用権の前記更新メッセージは、移動体ネットワーク２０の電子メッセージ管理センター２１を介して受け渡される。
【００４４】
たとえば、権利の前記更新メッセージは、利用権の管理サーバ１２から、「ＳＭＳ」（Ｓｈｏｒｔ  Ｍｅｓｓａｇｅ  Ｓｅｒｖｉｃｅ）と称されるショート・メッセージ・サービスによって、または「ＭＭＳ」（Ｍｕｌｔｉｍｅｄｉａ  Ｍｅｓａｓｇｅ  Ｓｅｒｖｉｃｅ）マルチメディア・メッセージ・サービスによって、あるいは「ＥＭＳ」（Ｅｘｔｅｎｔｅｄ  Ｍｅｓｓａｇｅ  Ｓｅｒｖｉｃｅ）もしくは、移動体ネットワーク２０にサポートされている、他のあらゆるタイプのメッセージ・サービスによって送信される。
【００４５】
したがって、前記電子メッセージ管理センター２１は、たとえば「ＳＭＳＣ」（Ｓｈｏｒｔ  Ｍｅｓｓａｇｅ  Ｓｅｒｖｉｃｅ  Ｃｅｎｔｅｒ）と称されるショート・メッセージ・センター、あるいは、「ＭＭＳＣ」（Ｍｕｌｔｉｍｅｄｉａ  Ｍｅｓｓａｇｅ  Ｓｅｒｖｉｃｅ  Ｃｅｎｔｅｒ）と称されるマルチメディア・メッセージ・センター、または、移動体ネットワークのタイプにしたがって、他のあらゆる電子メッセージ管理センターである。
【００４６】
他のあらゆるメッセージに対してと同じ仕方で、移動体ネットワーク２０は利用権の前記更新メッセージを、移動体ネットワークの交換センターである、「ＭＳＣ」（Ｍｏｂｉｌｅ  Ｓｗｉｔｃｈｉｎｇ  Ｃｅｎｔｅｒ）を介して携帯端末１０に送信し、次にベースステーションコントローラである、「ＢＳＣ」（Ｂａｓｅ  Ｓｔａｔｉｏｎ  Ｃｏｎｔｒｏｌｌｅｒ）を介して、最後にベースステーションである、「ＢＴＳ」（Ｂａｓｅ  Ｔｒａｎｓｃｅｉｖｅｒ  Ｓｔａｔｉｏｎ）を介して携帯端末１０に送信する。
【００４７】
利用権の前記更新メッセージは、携帯端末１０に対する「要求メッセージ」のタイプである。
【００４８】
参考までに、ＳＭＳタイプのショート・メッセージ・サービスでは、前記要求メッセージはＳＭＳ−ＯＴＡ（Ｓｈｏｒｔ  Ｍｅｓｓａｇｅ  Ｓｅｒｖｉｃｅ−Ｏｖｅｒ  Ｔｈｅ  Ａｉｒ）と称されるメッセージであり、該メッセージは移動体ネットワーク２０のための署名として役立つ。
【００４９】
前記要求メッセージは、前記電子メッセージ管理センター２１から前記携帯端末１０に、前記携帯端末１０の利用者の介入なしで送信される。したがって、これは前記携帯端末１０の利用者に対していかなる請求の対象ともならない。
【００５０】
実際、携帯端末１０は前記更新メッセージを受信するために自発的に接続を確立することはない。このため、該メッセージは携帯端末１０の利用者に対して透過的であり、該利用者は、遂行すべきいかなる動作も必要なく、利用権の前記更新メッセージの実行に介入することはできない。
【００５１】
送信された要求メッセージの性質によって、権利の前記更新メッセージは、利用者が携帯端末１０上で該メッセージを拒否できないということを特徴としている。
【００５２】
場合によっては、権利の前記更新メッセージの受信後、端末１０上の前記利用権は、利用期間がなくなったと更新されるか、もしくは消去される。このことから、したがって、デジタルコンテンツは端末１０で使用不可能になる。
【図面の簡単な説明】
【００５３】
【図１】本発明にしたがった、保護されたデジタルコンテンツへのアクセスを管理するシステムの、一般的な設計の概略図である。
【符号の説明】
【００５４】
１０  携帯端末
１１  コンテンツの配信サーバ
１２  利用権の管理サーバ
１３  データベース
２０  移動体ネットワーク
２１  電子メッセージ管理センター
Ｔ  期間
【図１】
2005536785.tif 000003
【国際調査報告】
2005536785.tif 000004
2005536785.tif 000005
2005536785.tif 000006
2005536785.tif 000007
2005536785.tif 000008
2005536785.tif 000009